(57)【要約】【課題】  巻上機等の据付作業や保守作業をピット床から容易に行うことのできる機械室なしエレベーターを提供する。【解決手段】  昇降路６内でロープ５により吊られた乗りかご１と釣合いおもり２が巻上機３の綱車４により駆動されるエレベーター装置において、前記昇降路６の下方に巻上機３を設置し、この巻上機３の下方の左右に第２転向プーリ８及び第１転向プーリ７を設置し、前記第１転向プーリ７の左端が前記綱車４の右端より左に位置すると共に前記第２転向プーリ８の右端が前記綱車４の左端より右に位置しており、前記綱車４の右部分から下方へ引き出された前記ロープ５は、前記第１転向プーリ７の左部分へ至った後上昇し、第３転向プーリ９を介して前記乗りかご１へ達し、前記綱車４の左部分から下方へ引き出された前記ロープ５は、前記第２転向プーリ８の右部分へ至った後上昇し、第４転向プーリ１０を介して前記釣合いおもり２へ達するように構成した。【選択図】図１
2008120478.tif 000002
【特許請求の範囲】
【請求項１】
昇降路内でロープにより吊られた乗りかごと釣合いおもりが巻上機の綱車により駆動されるエレベーター装置において、前記昇降路の中央より下方に巻上機を設置し、この巻上機の下方に第１転向プーリ及び第２転向プーリを設置し、前記第１転向プーリの軸が前記第２転向プーリの軸に対して右側の略同じ高さに位置し、前記第１転向プーリの左端が前記綱車の右端より左側に位置すると共に前記第２転向プーリの右端が前記綱車の左端より右側に位置しており、前記綱車の右側部分から下方へ引き出された前記ロープは、前記第１転向プーリの左側部分へ至り方向転換してから上昇し、昇降路上部の第３転向プーリを介して前記乗りかごへ達し、前記綱車の左側部分から下方へ引き出された前記ロープは、前記第２転向プーリの右側部分へ至り方向転換してから上昇し、昇降路上部の第４転向プーリを介して前記釣合いおもりへ達するように構成したことを特徴とするエレベーター装置。
【請求項２】
前記巻上機は、前記乗りかごの移動領域と昇降路の壁との隙間の空間に位置することを特徴とする請求項１に記載のエレベーター装置。
【請求項３】
前記巻上機は薄型であることを特徴とする、請求項１または２のいずれかに記載のエレベーター装置。
【請求項４】
前記第１転向プーリおよび／または前記第２転向プーリは上下方向の位置が調整可能に設置されていることを特徴とする、請求項１ないし３のいずれかに記載のエレベーター装置。
【請求項５】
前記巻上機，前記第１転向プーリおよび前記第２転向プーリを一体のベース上に設置したことを特徴とする、請求項１ないし４のいずれかに記載のエレベーター装置。
【請求項６】
昇降路内でロープにより吊られた乗りかごと釣合いおもりが巻上機の綱車により駆動されるエレベーター装置において、前記昇降路の中央より下方に巻上機を設置し、この巻上機の下方に下部転向プーリを設置し、前記綱車の左側部分から下方へ引き出された前記ロープは、前記下部転向プーリの左側部分へ至り溝を介して方向転換してから上昇し、昇降路上部の乗りかご用転向プーリを介して前記乗りかごへ達し、前記綱車の右側部分から下方へ引き出された前記ロープは、前記下部転向プーリの右側部分へ至り前記溝とは別の溝を介して方向転換してから上昇し、昇降路上部の釣合いおもり用転向プーリを介して前記釣合いおもりへ達するように構成したことを特徴とするエレベーター装置。
【請求項７】
前記下部転向プーリの径は、前記綱車の径より大きいことを特徴とする請求項６に記載のエレベーター装置。
【発明の詳細な説明】
【技術分野】
【０００１】
本発明は、昇降路内に巻上機を備え、昇降路内のガイドレールに沿って乗りかごと釣合いおもりが移動するエレベーター装置に関するものである。
【背景技術】
【０００２】
従来から、昇降路内に巻上機を備えるエレベーターにおいて、巻上機付近に転向プーリを配置するエレベーター装置が提案されている。
【０００３】
例えば、下記特許文献１には、巻上機の下方に２個の転向プーリを並べて、巻上機のシーブの両側から各々下方に伸びたロープを前記２個の転向プーリに巻き付けてからそれぞれ上部の転向プーリに掛け渡すエレベーター装置が記載されている。
【０００４】
また、下記特許文献２には、巻上機の上方に２個の転向プーリを並べて、巻上機の駆動シーブの両側から各々上方に伸びたロープを前記２個の転向プーリに巻き掛け、これら転向プーリと駆動シーブとの径の関係や距離を変化させることにより、駆動シーブへのロープの巻付角を調整することが記載されている。
【０００５】
【特許文献１】特開２００４−２６４２４号（図１，図２及び図４等）
【特許文献２】国際公開第２００４／０５０５２８号パンフレット(図４及び図５等)
【発明の開示】
【発明が解決しようとする課題】
【０００６】
しかしながら、上記特許文献１，２に記載されたエレベーター装置では、巻上機及びその近傍の転向プーリが昇降路の上部に設置されており、巻上機等の据付作業や保守作業が容易ではなかった。
【０００７】
したがって、本発明の目的は、巻上機等の据付作業や保守作業をピット床から容易に行うことのできる機械室なしエレベーターを提供することである。
【課題を解決するための手段】
【０００８】
上記目的を達成するために、本発明は、昇降路内でロープにより吊られた乗りかごと釣合いおもりが巻上機の綱車により駆動されるエレベーター装置において、前記昇降路の中央より下方に巻上機を設置し、この巻上機の下方に第１転向プーリ及び第２転向プーリを設置し、前記第１転向プーリの軸が前記第２転向プーリの軸に対して右側の略同じ高さに位置し、前記第１転向プーリの左端が前記綱車の右端より左側に位置すると共に前記第２転向プーリの右端が前記綱車の左端より右側に位置しており、前記綱車の右側部分から下方へ引き出された前記ロープは、前記第１転向プーリの左側部分へ至り方向転換してから上昇し、昇降路上部の第３転向プーリを介して前記乗りかごへ達し、前記綱車の左側部分から下方へ引き出された前記ロープは、前記第２転向プーリの右側部分へ至り方向転換してから上昇し、昇降路上部の第４転向プーリを介して前記釣合いおもりへ達するように構成した。
【発明の効果】
【０００９】
本発明によれば、巻上機等の据付作業や保守作業をピット床から容易に行うことのできる機械室なしエレベーターを提供できる。
【発明を実施するための最良の形態】
【００１０】
以下、本発明の実施形態について、図面に基づいて説明する。
【００１１】
図１は、本発明の第１の実施形態におけるエレベーター装置のロープ５の掛け方を部分的に示す図であり、図２は、本実施形態のエレベーターにおける昇降路６の平面断面図である。本実施形態のエレベーター装置では、乗りかご１が、乗りかごガイドレール１６ａ，１６ｂに沿って昇降し、釣合いおもり２が、釣合いおもりガイドレール１７ａ，１７ｂに沿って昇降するように構成されている。また、乗りかご１と釣合いおもり２は、３本１組のロープ５により吊られ、昇降路内に配置された巻上機３の綱車４により駆動される。
【００１２】
昇降路６の中央より下のピットに近い部位であって乗りかご１の移動領域と昇降路壁
１１との隙間の空間に巻上機３を設置する。この巻上機３の下方に第１転向プーリ７及び第２転向プーリ８を設置し、第１転向プーリ７の軸が第２転向プーリ８の軸に対して右側の略同じ高さに位置し、第１転向プーリ７の左端が綱車４の右端より左側に位置すると共に第２転向プーリ８の右端が綱車４の左端より右側に位置するように構成されている。
【００１３】
ここで、本発明における「右側」又は「左側」の指す方向は、巻上機３をその軸方向
（表裏のいずれか一方）に離れた位置から見て右側又は左側のことである。つまり、本発明における昇降路６内のエレベーター機器の配置は、図１等の配置と左右対称なものも当然ながら含まれる。したがって、図１において、巻上機３，第１転向プーリ７及び第２転向プーリ８を含む駆動機構は、紙面に平行な２面の壁のいずれに近接していても良い。尚、本実施形態では、図２の水平断面図に示す通り、駆動機構が図１の紙面の向こう側の壁面に近接している場合について説明する。
【００１４】
本実施形態におけるロープ５の巻き掛け方は、図１に示す通りである。まず、綱車４からその軸寄りの斜め下方へ引き出されるロープ５のうち一方は、綱車４の右側部分から第１転向プーリ７の左側部分へ至り方向転換してから上昇し、昇降路６の上部に設置された２個の第３転向プーリ９を介して、乗りかご１の底部に設置された２個のせり上げプーリ１４を通り、昇降路６の上部の綱止め部１２へ達する。また、上記ロープ５の他方は、綱車４の左側部分から第２転向プーリ８の右側部分へ至り方向転換してから上昇し、昇降路６の上部に設置された２個の第４転向プーリ１０を介して、釣合いおもり２の上部に設置された釣合いおもり吊りプーリ１５を通り、昇降路６の上部の綱止め部１３へ達する。尚、図２に示す通り、第３転向プーリ９の鉛直投影は、第４転向プーリ１０の鉛直投影及び綱車４の鉛直投影と略垂直となるように配置されている。
【００１５】
また、第１転向プーリ７と第２転向プーリ８とは、一体のベース１８の上に両プーリの軸を略同じ高さにして並べて配置する。ここで、第１転向プーリ７および前記第２転向プーリ８は、両プーリの軸受の固定部のボルト穴を上下方向に複数個備える（図示せず）ことにより、両プーリの位置が調整可能に設置されている。
【００１６】
尚、本実施形態における巻上機３は、薄型の形状となっている。ここでは、筐体の外形の径方向寸法が軸方向の厚み寸法より大きいという特徴を指して薄型と称する。
【００１７】
本実施形態によれば、第１転向プーリ７と第２転向プーリ８とが接近して配置されているので、昇降路壁１１に沿う方向について、巻上機３とその下方の第１転向プーリ７及び第２転向プーリ８からなる駆動機構全体の横寸法ｂを縮小できる。また、綱車４へのロープ５の巻付角を１８０°より大きくでき、綱車４とロープ５との間の摩擦力が高まるので、伝動効率を増大させることも可能である。尚、本実施形態の綱車４にはロープ５の自重が作用するので、巻上機３の下方に第１転向プーリ７及び第２転向プーリ８を設けない構成と比較して、綱車４に作用する摩擦力が大きく、伝動効率が良いという利点がある。
【００１８】
更に、本実施形態では、第１転向プーリ７と第２転向プーリ８とが略同じ高さに並べて配置されているので、駆動機構全体の上下寸法ｈを小さくでき、巻上機３のピット床２１からの高さを小さくすることが可能である。また、巻上機３，第１転向プーリ７及び第２転向プーリ８の保守作業を、同じ高さ位置で実施可能となるので、作業工数を低減する効果も期待できる。
【００１９】
そして、駆動機構が昇降路６の下方、特にピットと近い位置に配置されているので、駆動機構を支持するベース１８を、ボルト２０によりピット床２１に固定でき、駆動機構の取り付け構造が簡単になる。また、駆動機構の据付作業や保守作業をピット床２１から行うことができるので、機械室のないエレベーターであっても駆動機構の据付や保守が容易となる。
【００２０】
上述のように、駆動機構の横寸法ｂと上下寸法ｈを共に小さくできるので、昇降路全体をコンパクトに構成することが可能となる。更に、本実施例によれば、昇降路６の頂部に巻上機３を設置する場合と同様に、ロープ５から綱車４に下向きの荷重が作用するので、昇降路６の頂部に設置するように設計された巻上機３が存在する場合には、その巻上機３をそのまま使用することができる。また、乗りかご１の移動領域と昇降路壁１１との隙間の空間に設置される上記巻上機３が薄型の形状なので、図２に示す通り、昇降路６の乗り場と反対側の壁面と乗りかご１との間の隙間をより狭く設定でき、結果として、昇降路６全体を一層コンパクトに構成することが可能となる。尚、薄型でない巻上機３を、昇降路６の中央より下のピットに近い部分であって乗りかご１の移動領域と昇降路壁１１との隙間の空間に設置して、駆動機構を構成することも可能である。
【００２１】
次に、本発明の第２の実施形態について、図３，図４および図５を用いて説明する。装置の全体構成は、第１の実施形態とほぼ同様である。第１の実施形態との相違は、図３と図５に示すように、第１転向プーリ７と第２転向プーリ８に代えて１個の下部転向プーリ１９が巻上機３の綱車４の下方、実質的に真下の位置に設けられていることである。また、下部転向プーリ１９は、その下側部分において同一のロープ（例えばロープ５ａ）が２度巻き掛けられるため、図４に示す通り、同一のロープ用に異なる溝が１条ずつ隣接して設けられている。そして、このような溝が、３本の各ロープ（５ａ，５ｂおよび５ｃ）について各々設けられているので、下部転向プーリ１９には、合計６条の溝が順に並ぶことになる。
【００２２】
次に、本実施形態におけるロープ５の巻き掛け方について、図３を用いて説明する。まず、綱車４から下方へ引き出されるロープ５のうち一方は、綱車４の左側部分から下部転向プーリ１９の左側部分へ至り、溝を介して方向転換してから上昇する。そして、このロープ５は、昇降路６の上部に設置された２個の乗りかご用転向プーリ２２を介して、乗りかご１の底部に設置された２個のせり上げプーリ１４を通って、昇降路６の上部の綱止め部１２へ達する。また、綱車４から下方へ引き出されるロープ５のうち他方は、綱車４の右側部分から下部転向プーリ１９の右側部分へ至り、上記溝とは別の溝を介して方向転換してから上昇する。そして、このロープ５は、昇降路６の上部に設置された２個の釣合いおもり用転向プーリ２３を介して、釣合いおもり２の上部に設置された釣合いおもり吊りプーリ１５を通り、昇降路６の上部の綱止め部１３へ達する。尚、下部転向プーリ１９の径は、綱車４の径よりやや大きくしているため、各綱車４から下部転向プーリ１９へ向かうロープ５と、下部転向プーリ１９から第３転向プーリ９または第４転向プーリ１０へと向かうロープ５とが、干渉するのを防止することができる。
【００２３】
また、上述の本実施形態によれば、巻上機３の下方には１個の下部転向プーリ１９が設けられるため、２個の転向プーリを横に並べる上記第１の実施形態と比較して、駆動機構全体の横寸法ｂあるいはベース１８の幅寸法をさらに小さくすることが可能である。
【図面の簡単な説明】
【００２４】
【図１】本発明の第１実施形態のエレベーター装置におけるロープの掛け方を示す側面模式図である。
【図２】本発明の第１実施形態のエレベーター装置の昇降路の水平断面図である。
【図３】本発明の第２実施形態のエレベーター装置におけるロープの掛け方を示す側面模式図である。
【図４】本発明の第２実施形態のエレベーター装置の駆動機構部分の模式平面図である。
【図５】本発明の第２の実施形態のエレベーター装置の昇降路の水平断面図である。
【符号の説明】
【００２５】
１  乗りかご
２  釣合いおもり
３  巻上機
４  綱車
５，５ａ，５ｂ，５ｃ  ロープ
６  昇降路
７  第１転向プーリ
８  第２転向プーリ
９  第３転向プーリ
１０  第４転向プーリ
１１  昇降路壁
１２，１３  綱止め部
１４  せり上げプーリ
１５  釣合いおもり吊りプーリ
１６ａ，１６ｂ  乗りかごガイドレール
１７ａ，１７ｂ  釣合いおもりガイドレール
１８  ベース
１９  下部転向プーリ
２０  ボルト
２１  ピット床
２２  乗りかご用転向プーリ
２３  釣合いおもり用転向プーリ
【図１】
2008120478.tif 000003
【図２】
2008120478.tif 000004
【図３】
2008120478.tif 000005
【図４】
2008120478.tif 000006
【図５】
2008120478.tif 000007